(57)【特許請求の範囲】
【請求項１】
可撓性シース内に軸線方向に進退自在に操作ワイヤを挿通配置して、その操作ワイヤの先端に弾性ワイヤからなるワイヤループを連結し、上記操作ワイヤを軸線方向に進退操作することにより上記ワイヤループが上記可撓性シースの先端内に出入りして、上記ワイヤループが上記可撓性シース外では自己の弾性によってループ状に膨らみ、上記可撓性シース内に引き込まれることによって窄まるようにした内視鏡用ワイヤループ型処置具において、
上記ワイヤループを形成する弾性ワイヤとして複数の金属細線を撚り合わせて形成された撚り線を用い、上記ワイヤループの後端から延出される一対の弾性ワイヤを、各弾性ワイヤの弾性変形域における撚り戻しにより上記弾性ワイヤの撚り方向と逆方向に撚り合わせて上記操作ワイヤとしたことを特徴とする内視鏡用ワイヤループ型処置具。
【請求項２】
上記ワイヤループと上記操作ワイヤとの境界部において、上記一対の弾性ワイヤどうしが固着されている請求項１記載の内視鏡用ワイヤループ型処置具。
【請求項３】
上記ワイヤループが一本の弾性ワイヤを中間点で曲げ戻して形成されている請求項１又は２記載の内視鏡用ワイヤループ型処置具。
【請求項４】
上記ワイヤループが二本の弾性ワイヤを先端部分で固着して形成されている請求項１又は２記載の内視鏡用ワイヤループ型処置具。
【請求項５】
上記可撓性シースが電気絶縁性の材料で形成されており、上記操作ワイヤを介して上記ワイヤループに高周波電流を通電することができる請求項１、２、３又は４記載の内視鏡用ワイヤループ型処置具。
【請求項６】
上記ワイヤループを複数組み合わせてかご状のバスケットを形成するために上記弾性ワイヤが複数対配置され、上記操作ワイヤが上記複数対の弾性ワイヤを一つに撚り合わせて形成されている請求項１、２、３又は４記載の内視鏡用ワイヤループ型処置具。
【発明の詳細な説明】
【０００１】
【発明の属する技術分野】
この発明は、内視鏡の処置具挿通チャンネルに挿脱して使用される内視鏡用ワイヤループ型処置具に関する。
【０００２】
【従来の技術】
図７は、従来の一般的な内視鏡用高周波スネアの先端部分を示しており、可撓性シース１内に軸線方向に進退自在に挿通配置された操作ワイヤ２の先端に、弾性ワイヤからなるワイヤループ３が接続パイプ４を介して連結されている。
【０００３】
その結果、操作ワイヤ２を軸線方向に進退操作することにより、ワイヤループ３が可撓性シース１の先端内に出入りして、ワイヤループ３が可撓性シース１外では自己の弾性によってループ状に膨らみ、可撓性シース１内に引き込まれることによって窄まる。
【０００４】
【発明が解決しようとする課題】
しかし、上述のような構造の従来の内視鏡用高周波スネアでは、可撓性シース１の内径寸法ｄを、ワイヤループ３と操作ワイヤ２とを接続する接続パイプ４がスムーズに進退できる大きさにしなければならない。
【０００５】
そのため、可撓性シース１が太くなり、太い処置具挿通チャンネルを有する内視鏡でしか使用できない等の制限が生じると共に、ポリープ切除を行う場合には、ワイヤループ３がポリープを締め付けた状態のまま可撓性シース１内に引き込まれて、ポリープ切除に支障をきたしたり、ポリープが外れなくなってしまう場合があった。
【０００６】
そこで本発明は、機能向上に直結する可撓性シースの細径化を達成することができ、しかも製造が容易で使用し易い内視鏡用ワイヤループ型処置具を提供することを目的とする。
【０００７】
【課題を解決するための手段】
上記の目的を達成するため、本発明の内視鏡用ワイヤループ型処置具は、可撓性シース内に軸線方向に進退自在に操作ワイヤを挿通配置して、その操作ワイヤの先端に弾性ワイヤからなるワイヤループを連結し、上記操作ワイヤを軸線方向に進退操作することにより上記ワイヤループが上記可撓性シースの先端内に出入りして、上記ワイヤループが上記可撓性シース外では自己の弾性によってループ状に膨らみ、上記可撓性シース内に引き込まれることによって窄まるようにした内視鏡用ワイヤループ型処置具において、上記ワイヤループを形成する弾性ワイヤとして複数の金属細線を撚り合わせて形成された撚り線を用い、上記ワイヤループの後端から延出される一対の弾性ワイヤを、上記弾性ワイヤの撚り方向と逆方向に撚り合わせて上記操作ワイヤとしたことを特徴とする。
【０００８】
なお、上記ワイヤループと上記操作ワイヤとの境界部において、上記一対の弾性ワイヤどうしが固着されていてもよい。
そして、上記ワイヤループの後端から延出された一対の弾性ワイヤの撚り合わせが、各弾性ワイヤの弾性変形域における撚り戻しによって行われていてもよい。
【０００９】
また、上記ワイヤループが一本の弾性ワイヤを中間点で曲げ戻して形成されていてもよく、或いは、上記ワイヤループが二本の弾性ワイヤを先端部分で固着して形成されていてもよい。
【００１０】
そして、上記可撓性シースが電気絶縁性の材料で形成されており、上記操作ワイヤを介して上記ワイヤループに高周波電流を通電することができるようにしてもよい。
【００１１】
或いは、上記ワイヤループを複数組み合わせてかご状のバスケットを形成するために上記弾性ワイヤが複数対配置され、上記操作ワイヤが上記複数対の弾性ワイヤを一つに撚り合わせて形成されていてもよい。
【００１２】
【発明の実施の形態】
図面を参照して本発明の実施の形態を説明する。
図１は、本発明の第１の実施の形態の内視鏡用ワイヤループ型処置具の先端部分を示しており、１は、例えば四フッ化エチレン樹脂製チューブ等からなる可撓性シースであり、図示されていない内視鏡の処置具挿通チャンネルに挿脱される。
【００１３】
３は、導電性の一本の弾性ワイヤ２３を中間点で曲げ戻して形成されたワイヤループであり、外力が加えられていない状態では数センチメートルの広がりの曲線的なループを形成している。
【００１４】
弾性ワイヤ２３としては、例えば直径が０．２〜０．５ｍｍ程度のステンレス鋼撚り線が用いられ、複数の（例えば３〜７本の）細いステンレス鋼細線を撚って形成されている。
【００１５】
ワイヤループ３は、外力を加えることにより弾性ワイヤ２３を弾性変形させて窄ませることができるが、外力が除かれれば、弾性ワイヤ２３の弾性によって元のループ形状に戻る。
【００１６】
可撓性シース１内には、可撓性の操作ワイヤ２が軸線方向に進退自在に挿通配置されている。この操作ワイヤ２は、ワイヤループ３の後端から延出されている一対の弾性ワイヤ２３を撚り合わせて形成されている。
【００１７】
ただし、操作ワイヤ２を形成する一対（二本）の弾性ワイヤ２３の撚り合わせ方向は、弾性ワイヤ２３の撚り方向とは逆方向であり、ワイヤループ３と操作ワイヤ２との境界部５では、二本の弾性ワイヤ２３が銀ロー付け又はプラズマ溶接等によって固着されている。この部分の詳細については、製法を含めて後述する。
【００１８】
図２は、可撓性シース１の基端部分を示しており、可撓性シース１の基端に取り付けられた連結口金６が操作部１０に連結され、その連結口金６から延出する操作ワイヤ２の基端部分が金属製の連結パイプ７に差し込まれて一体的に固着され、その連結パイプ７が操作部１０の操作部材１１に例えば止めネジ１２等により連結固定されている。
【００１９】
その結果、操作部１０において操作部材１１を進退操作することによって、可撓性シース１内で操作ワイヤ２が軸線方向に進退し、ワイヤループ３が可撓性シース１の先端内に出入りして膨縮する。
【００２０】
操作部１０には、図示されていない高周波電源コードを操作ワイヤ２に導通接続させるための接続端子が設けられており、操作ワイヤ２を介してワイヤループ３に高周波電流を通電することができる。
【００２１】
図３は、ワイヤループ３と操作ワイヤ２部分の製造工程を順に示しており、まず、（Ａ）に示されるように、一本の弾性ワイヤ２３を中間点で反対方向に緩く曲げ戻して一対（二本）にし、ワイヤループ３と操作ワイヤ２との境界部５になる位置で、両弾性ワイヤ２３を平行に重ね合わせて銀ロー付け又はプラズマ溶接等により固着する。
【００２２】
なお、その固着部分５は、図３においては見分け易くするためにやや太く図示されているが、実際には、弾性ワイヤ２３二本分の直径より太くならないように固着する。
【００２３】
次いで、（Ｂ）に示されるように、境界部５を万力２００等でしっかり固定した状態で、延出している二本の弾性ワイヤ２３を、その撚り状態がさらに締まる方向に各々の軸線周りに同じ回転数だけ回転させる。
【００２４】
撚り線の撚り方向には、右巻きと左巻き（一般に、「Ｓ撚り」と「Ｚ撚り」と称される）があるが、弾性ワイヤ２３がＳ撚り（右巻き）であれば、（Ｂ）の工程においてさらに弾性ワイヤ２３に右巻きの回転を与える。
【００２５】
この時の回転数は、例えば長さ２ｍに対して５０回転程度であり、各弾性ワイヤ２３の撚りが弾性変形域において増加され、加えられている回転力を取り除けば、撚りは元の状態に戻る。
【００２６】
次いで、（Ｃ）に示されるように、境界部５から後方に延出している二本の弾性ワイヤ２３どうしを撚り方向とは逆方向に撚り合わせて操作ワイヤ２を形成する。
【００２７】
この時、各弾性ワイヤ２３に力を加える必要はなく、二本の弾性ワイヤ２３を各々の撚りが戻らない状態で隣接して平行に並べてから回転力を取り除けば、各弾性ワイヤ２３の撚りが元の状態に戻る動作によって、二本の弾性ワイヤ２３が撚り方向とは逆方向に撚り合わせられて自然状態に落ち着く。
【００２８】
このようにすることにより、二本の弾性ワイヤ２３の各々の素線の回転と撚り合わせの回転とが相殺され、二本の弾性ワイヤ２３を撚り状態が乱れることなく容易に撚り合わせることができると共に、操作ワイヤ２を押し引き操作したときにワイヤループ３が回転してしまうような現象が発生しない。
【００２９】
このようにして操作ワイヤ２の部分が完成したら、（Ｄ）に示されるように、適当な直径と長さの金属パイプからなる治具１００に操作ワイヤ２側から通過させる。それによって、ワイヤループになる部分３′がきれいな対称形に先端でＵ字状に曲げ戻される。
【００３０】
そして最後に、（Ｅ）に示されるようにワイヤループ３を所定の形状に形成すれば、ワイヤループ３と操作ワイヤ２の部分が完成し、（Ｆ）に示されるように、可撓性シース１の基端に取り付けられた連結口金６にワイヤループ３側から差し込んで行けば、ワイヤループ３が窄まって可撓性シース１内を通過し、図１に示される状態に組みあがる。
【００３１】
このように構成された内視鏡用高周波スネアにおいて、可撓性シース１の内径寸法ｄは、二本の弾性ワイヤ２３からなる操作ワイヤ２がスムーズに進退できるように、操作ワイヤ２より０．１〜０．５ｍｍ程度大きいのが適当である。
【００３２】
そこで、弾性ワイヤ２３の線径が０．５ｍｍあるとしても、可撓性シース１の内径をそれより０．２ｍｍ大きくした場合、可撓性シース１の内径寸法ｄは１．２ｍｍで済む。したがって、可撓性シース１の肉厚を０．３ｍｍとすれば外径は１．８ｍｍにおさまり、内径が２ｍｍの処置具挿通チャンネルに挿脱して使用することができる。
【００３３】
また、可撓性シース１の内径寸法ｄを小さくすることができることから、ワイヤループ３でポリープを緊縛するために操作ワイヤ２を牽引したとき、ポリープが可撓性シース１内に引き込まれず、ポリープ切除処置を安全かつ迅速に行うことができる。
【００３４】
図４は、本発明の第２の実施の形態の内視鏡用高周波スネアを示しており、素材として二本の弾性ワイヤ２３を用い、それを先端部分３ａにおいて銀ロー付け又はプラズマ溶接等により互いに固着してワイヤループ３を形成したものである。その他の構成は前述の第１の実施の形態と同じである。
【００３５】
この実施の形態のワイヤループ３と操作ワイヤ２部分を製造する場合には、図５の（Ａ′）に示されるように、重ね合わせて並べた二本の弾性ワイヤ２３を、ワイヤループになる部分３′と操作ワイヤになる部分２′との境界部５及び先端部分３ａで互いに固着する。
【００３６】
その後は、図３の（Ｂ）及び（Ｃ）に示される第１の実施の形態と同様に、各弾性ワイヤ２３の撚り方向と逆方向に両弾性ワイヤ２３どうしを撚り合わせることにより、ワイヤループ３と操作ワイヤ２が形成される。
【００３７】
図６は、本発明を内視鏡用バスケット型異物回収具に適用した実施の形態を示しており、ワイヤループ３部分が複数対（例えば四本）の弾性ワイヤ２３により形成され、操作ワイヤ２はその全部の弾性ワイヤ２３を、弾性ワイヤ２３の撚り方向と逆方向に撚り合わせて形成されている。
【００３８】
この場合にも、製造の際には、まずワイヤループ３になる部分と操作ワイヤ２になる部分との境界部５及び先端部分３ａで全ての弾性ワイヤ２３を互いに固着すればよい。
【００３９】
なお、四本の弾性ワイヤ２３の撚り合わせは、まず弾性ワイヤ２３を二本ずつ撚り合わせた後、更にその二本ずつを四本に撚り合わせるようにしてもよい。
【００４０】
【発明の効果】
本発明によれば、ワイヤループを形成する弾性ワイヤとして複数の金属細線を撚り合わせて形成された撚り線を用い、ワイヤループの後端から延出される一対の弾性ワイヤを撚り合わせて操作ワイヤとしたことにより、ワイヤループと操作ワイヤとの境界部が操作ワイヤ自体の太さより太くならないようにすることができるので、可撓性シースを細く形成することができる。
【００４１】
その結果、細い処置具挿通チャンネルが組み込まれた内視鏡でも使用することが可能となり、また、ポリープ切除を行う場合には、ポリープが可撓性シース内に引き込まれず、ポリープ切除処置を安全かつ迅速に行うことができる。
【００４２】
また、弾性ワイヤの撚り合わせ方向を弾性ワイヤの撚り方向と逆方向にしたことにより、二本の弾性ワイヤの各々の素線の回転と撚り合わせの回転とが相殺されるので、二本の弾性ワイヤを撚り状態が乱れることなく容易に撚り合わせることができると共に、操作ワイヤを押し引き操作したときにワイヤループが回転する現象が発生せず使用し易い。
【図面の簡単な説明】
【図１】本発明の第１の実施の形態の内視鏡用高周波スネアの先端部分の平面断面図である。
【図２】本発明の第１の実施の形態の内視鏡用高周波スネアの基端部分の側面断面図である。
【図３】本発明の第１の実施の形態の内視鏡用高周波スネアの製造工程を示す略示図である。
【図４】本発明の第２の実施の形態の内視鏡用高周波スネアの先端部分の平面断面図である。
【図５】本発明の第２の実施の形態の内視鏡用高周波スネアの製造の最初の工程を示す略示図である。
【図６】本発明の第３の実施の形態の内視鏡用バスケット型異物回収具の先端部分の平面断面図である。
【図７】従来の内視鏡用高周波スネアの先端部分の平面断面図である。
【符号の説明】
１  可撓性シース
２  操作ワイヤ
３  ワイヤループ
５  境界部
２３  弾性ワイヤ
【図１】
0003684085.tif 000002
【図２】
0003684085.tif 000003
【図３】
0003684085.tif 000004
【図４】
0003684085.tif 000005
【図５】
0003684085.tif 000006
【図６】
0003684085.tif 000007
【図７】
0003684085.tif 000008